(57)【要約】【課題】  本発明は、組み付け作業性を容易にすることができる表示装置を提供することを目的とする。【解決手段】  指針２と、表示板３と、光源８と、を備えてなる指示計器において、表示板５の表面には、指針２の指示部２０が指し示す外郭周縁領域ＡＲ１に設けられた透過性の表示層３Ａからなる指標部３と、指標部３の領域を除く表示板５の外郭周縁の表面に遮光性の地色層４Ａからなる環状に施された地色部４と、を有し、表示板５の裏面には、地色部４の領域と指標部３の領域を除く領域ＡＲ２に施された濃淡の表示色層からなるグラデーション表示層Ｇ１と、このグラデーション表示層Ｇ１の裏面側に背景色となる透過性の背景地色層４００と、を有してなることを特徴とする指示計器。 【選択図】  図３
2013190366.tif 000002
【特許請求の範囲】
【請求項１】
計器本体に設けられた回転軸の先端側に取り付けられた指針と、この指針の回動指示する位置に対応して、透光性の基板に遮光性の地色層による地色部の領域と目盛・文字などの透過性の表示層による指標部の領域とが施された表示板と、この表示板の背後側に設けられた光源と、を備えてなる指示計器において、前記表示板の表面には、前記指針の指示部が指し示す外郭周縁領域に設けられた透過性の表示層からなる前記指標部と、前記指標部の領域を除く前記表示板の外郭周縁の表面に遮光性の地色層からなる環状に施された前記地色部と、を有し、前記表示板の裏面には、前記地色部の領域と前記指標部の領域を除く領域に施された濃淡の表示色層からなるグラデーション表示層と、このグラデーション表示層の裏面側に背景色となる透過性の背景地色層と、を有してなることを特徴とする指示計器。
【請求項２】
前記グラデーション表示層は、透過性の表示色層からなることを特徴とする請求項１に記載の指示計器。
【請求項３】
前記グラデーション表示層は、遮光性の表示色層からなることを特徴とする請求項１に記載の指示計器。
【請求項４】
前記グラデーション表示層は、前記回転軸を基点として外側に向けて濃淡が徐々に淡くなるように形成してなることを特徴とする請求項１から請求項３のいずれか１項に記載の指示計器。
【発明の詳細な説明】
【技術分野】
【０００１】
本発明は、光源からの照射光線で表示板や指針を照明表示する指示計器に関するものである。
【背景技術】
【０００２】
従来、例えば建設機械などの特殊車輌や船舶、あるいは自動車、オートバイ等の指示計器として、速度計，回転計や燃料計などの運転状況を指示する指針式の指示計器が設けられている。
【０００３】
光源からの照射光線で表示板や指針を照明表示する従来の指示計器としては、例えば特許文献１や特許文献２などによって知られている。
【０００４】
従来の指示計器は、計器本体に設けられた回転軸の先端側に取り付けられた指針と、この指針の回動指示する位置に対応して、透光性の基板に遮光性の地色層による地色部領域部分と目盛・文字などの透過性の表示層による指標部領域部分とが施された表示板と、この表示板の背後側に設けられた光源と、を備えており、前記表示板には、その表示板に設けられている透過照明可能な前記指標部の領域とは別に、透過印刷層を設けるとともに、その透過印刷層の領域にて所定の領域を基準として表示板を照明する光量が漸次変化するように前記表示板を透過照明可能とするグラデーションによる印刷層からなる透過光量調整層の前面側に施してなるものが知られている。
【０００５】
【特許文献１】特開２００３−２２２５３８号公報
【特許文献２】特開２００３−２５４７９０号公報
【発明の開示】
【発明が解決しようとする課題】
【０００６】
前述の特許文献１や特許文献２の指示計器にあっては、前面側に施したグラデーションによる印刷層からなる透過光量調整層によって、内側から外側に向かって徐々に明るくなるように設定しているため、指標部が目立たなくなる可能性があるため、指示計器の見栄えも良好とは言えず表示品位の点で改善の余地が残されている。
【０００７】
またグラデーションによる印刷層からなる透過光量調整層によって、表示板全体を見た場合、グラデーション処理により濃淡表示されたりあるいは光源により明暗透過照明されるなど見栄えが良くなるものの、表示板自体の奥行き感、立体感に欠けるという側面もある。
【０００８】
そこで本発明は、前述の問題点に着目し、指標部を鮮明に透過照明するとともに奥行き感・立体感を得ることができ、また斬新な見栄えを実現できる指示計器を提供することを目的とするものである。
【課題を解決するための手段】
【０００９】
本発明は前述した課題を解決するため、請求項１では、計器本体に設けられた回転軸の先端側に取り付けられた指針と、この指針の回動指示する位置に対応して、透光性の基板に遮光性の地色層による地色部の領域と目盛・文字などの透過性の表示層による指標部の領域とが施された表示板と、この表示板の背後側に設けられた光源と、を備えてなる指示計器において、前記表示板の表面には、前記指針の指示部が指し示す外郭周縁領域に設けられた透過性の表示層からなる前記指標部と、前記指標部の領域を除く前記表示板の外郭周縁の表面に遮光性の地色層からなる環状に施された前記地色部と、を有し、前記表示板の裏面には、前記地色部の領域と前記指標部の領域を除く領域に施された濃淡の表示色層からなるグラデーション表示層と、このグラデーション表示層の裏面側に背景色となる透過性の背景地色層と、を有してなることを特徴とする指示計器である。
【００１０】
このように構成することによって、指針の指示状態を表示板の外郭周縁領域に設けられた指標部にて良好に指示状態を判別することができるとともに、表示板の表面に設けられた環状からなる地色部を施していない中央部箇所の表示板の裏面にグラデーション表示層と、そのグラデーション表示層の背面側に背景色となる背景地色層を設けてなることによって、地色部箇所の境目と表示板の中央箇所との間において表示板の肉厚寸法がそのまま段差として見えるため、奥行き感が強調され、しかも背景となる表示板の裏面に設けられた背景地色層の表面側に設けられたグラデーション表示層の濃淡によってさらに見栄えも良好となる指示計器を提供できる。
また、光源による表示板の照明時においては、遮光性の地色部を背景にして指標部をくっきりと透過照明することができ、この際、表示板の裏面側に施されたグラデーション表示層と背景地色層とが表示板の板厚寸法分だけ表示層からなる指標部および地色部との間で段差となって見えるため奥行き感が強調されるものであり、表示板の表面に施された遮光性の地色層と表示板の背面に施された透過性の背景地色層との間において背後側の背景地色層が透過照明されることによって立体感をさらに強調することができ、これにより斬新な指示計器を提供することができる。
【００１１】
また請求項２では、前記グラデーション表示層は、透過性の表示色層からなることを特徴とする請求項１に記載の指示計器である。
【００１２】
このように構成することによって、表示板の背面に施された背景地色層とともにグラデーション表示層も透過照明されるため、明るくしかもグラデーション表示層の濃淡状態に合わせて透過照明され、奥行き感とともに明暗表示と相まって、斬新な見栄えを実現できる指示計器を提供することができる。
【００１３】
また請求項３では、前記グラデーション表示層は、遮光性の表示色層からなることを特徴とする請求項１に記載の指示計器である。
【００１４】
このように構成することによって、表示板の背面に施されたグラデーション表示層が透過性の背景地色層によって透過照明される際に、シルエットとして浮かび上がって見え、しかもグラデーション表示層の濃淡状態に合わせてシルエットとして浮かび上がって見えるため、奥行き感に加えて明暗によるボカシ効果も強調した透過照明を得ることが期待できる。
【００１５】
また請求項４では、前記グラデーション表示層は、前記回転軸を基点として外側に向けて濃淡が徐々に淡くなるように形成してなることを特徴とする請求項１から請求項３のいずれか１項に記載の指示計器である。
【００１６】
このように構成することによって、指針の回動支点である回転軸を基点として同心円状にして外側に行くに従い漸次明るさが明るくなるように背景地色層を透過照明することが可能となり、表示板の表面側に施してある地色層との境目を強調することもできるものであり、これにより奥行き感も強調することができる。
【発明の効果】
【００１７】
本発明では、計器本体に設けられた回転軸の先端側に固着された指針と、この指針の回動指示する位置に対応して、透光性の基板に遮光性の地色層による地色部の領域と目盛・文字などの透過性の表示層による指標部の領域とが施された表示板と、この表示板の背後側に設けられた光源と、を備えてなる指示計器において、前記表示板の表面には、前記指針の指示部が指し示す外周縁領域に設けられた透過性の表示層からなる前記指標部と、前記指標部の領域を除く前記表示板の外郭周縁の表面に遮光性の地色層からなる環状に施された前記地色部と、を有し、前記表示板の裏面には、前記地色部の領域と前記指標部の領域を除く領域に施された濃淡の表示色層からなるグラデーション表示層と、このグラデーション表示層の裏面側に背景色となる透過性の背景地色層と、を有してなることを特徴とする指示計器であるため、指針の指示状態を表示板の外郭周縁領域に設けられた指標部にて良好に指示状態を判別することができるとともに、表示板の表面に設けられた環状からなる地色部を施していない中央部箇所の表示板の裏面にグラデーション表示層と、そのグラデーション表示層の背面側に背景色となる背景地色層を設けてなることによって、地色部箇所の境目と表示板の中央箇所との間において表示板の肉厚寸法がそのまま段差として見えるため、奥行き感が強調され、しかも背景となる表示板の裏面に設けられた背景地色層の表面側に設けられたグラデーション表示層の濃淡によってさらに見栄えも良好となる指示計器を提供できる。また、光源による表示板の照明時においては、遮光性の地色部を背景にして指標部をくっきりと透過照明することができ、この際、表示板の裏面側に施されたグラデーション表示層と背景地色層とが表示板の板厚寸法分だけ表示層からなる指標部および地色部との間で段差となって見えるため奥行き感が強調されるものであり、表示板の表面に施された遮光性の地色層と表示板の背面に施された透過性の背景地色層との間において背後側の背景地色層が透過照明されることによって立体感をさらに強調することができるものであり、これにより所期の目的を達成することができる。
【図面の簡単な説明】
【００１８】
【図１】本発明の第１の実施形態である車両用の指示計器を示す正面図である。
【図２】図２は、図１の指示計器の全体構造を示す断面図である。
【図３】図３は、図１の指示計器の要部箇所を示す正面図およびその断面図である。
【図４】図４は、本発明の第２の実施形態である指示計器の要部箇所を示す正面図およびその断面図である。
【発明を実施するための最良の形態】
【００１９】
本発明の対象とする指示計器として車両用の指示計器を例にして詳述する。以下本発明の実施形態を添付図面に基づいて説明する。
【００２０】
図１から図３は本発明の指示計器の第１の実施形態を示すもので、計器本体１の回転軸１Ａの先端側に固定され、回転軸１Ａを中心に回転する指針２と、この指針２の背面側に位置し透過照明される目盛や数字や記号などの表示層３Ａからなる指標部３および遮光性の地色層４Ａからなる地色部４が施された表示板５と、この表示板５の背面側に位置するガラスエポキシ樹脂からなる硬質の回路基板６と、この回路基板６上に設けられ、それぞれ指針２と表示板５を照明する光源である発光ダイオード７，８と、指針２を照明するための発光ダイオード７と表示板５側の指標部３箇所を照明するための照明領域を区画する合成樹脂製の枠体９に設けられた円筒形の仕切壁９Ａと、によってそれぞれ照明する区域を区画して構成している。なお、前記回路基板６の背後には前記回転軸１Ａを回動する計器本体１が取付固定されている。
【００２１】
指針２は、表示板５に設けられた指標部３を指し示す指示部２０と回転軸１Ａに固定される指針基部２１が透明な合成樹脂で一体に形成されており、指針基部２１は遮光性の合成樹脂からなる指針キャップ２２で覆われている。この際、指示部２０は発光ダイオード７の光を受けて発光するものである。
【００２２】
表示板５は透明な合成樹脂からなる平板状の基板５０からなり、その表面（図中上側の面）に、目盛や数字あるいは記号などの指標部３箇所に透過性のインク例えば白色の表示層３Ａを形成し、その指標部３の領域を除いて表示板５の表面側の外郭周縁箇所にドーナツ状からなる遮光性の黒色の地色層４Ａが施されている。
【００２３】
また指針発光用としての発光ダイオード７は枠体９から一体に設けられた円筒形の仕切壁９Ａの内側に位置し、回転軸１Ａの近傍に回転軸１Ａを中心として円形状に取り巻いて複数設けられ、この発光ダイオード７の照射光線を円筒形の仕切壁９Ａを介して指針２の指針基部２１から指示部２０側へと導くようにしている。
【００２４】
また、表示板５の指標部３を透過照明する発光ダイオード８は円筒形の仕切壁９Ａの外側を円形状に取り巻いて複数設けられ、この発光ダイオード８からの照射光線を直接的に表示板５に設けた指標部３を透過照明したり、あるいは発光ダイオード８からの照射光線を間接的に表示板５の指標部３側へと導くために枠体９から一体に設けられたライトケース９Ｂの内面にて反射導光するように形成している。
【００２５】
この場合、ライトケース９Ｂの内面側の周辺部には反射面９Ｃが形成され、この反射面９Ｃは、表示板５側に向けて湾曲しており、その反射面９Ｃの内面部分によって発光ダイオード８からの射出された光線を指標部３側に反射拡散するように構成している。反射面９Ｃをその断面形状を曲面とすることにより、反射した光が指標部３方向に効率よく反射拡散することができるようにしている。
【００２６】
また本実施形態では、表示板５の表面には、指針２の指示部２０が指し示す外周縁領域側に設けられた透過性の表示層３Ａからなる指標部３と、指標部３の領域を除く表示板５の外郭周縁部分の表面に遮光性の地色層４Ａからなる地色部４が施されているが、さらに、指標部３の領域と地色部４とによる環状からなる外郭周縁領域ＡＲ１を除く表示板５の裏面側に設けられた円形状からなる中央部領域ＡＲ２に、例えば青色系の透過性のドット印刷による濃淡の表示色層からなるグラデーション表示層Ｇ１が施され、このグラデーション表示層Ｇ１の背後側に背景色となる例えば白色による透過性の背景地色層４００が施されている。
【００２７】
本実施形態のグラデーション表示層Ｇ１は、回転軸１Ａを基点として外側に向けて濃淡が徐々に淡くなるように形成されている。この濃淡としてはドットの密度あるいはドットの大きさの変化などによって設定している。
【００２８】
このように構成された本実施形態における指示計器では、指針２の指示状態を表示板５の外郭周縁領域ＡＲ１に設けられた指標部３にて良好に指示状態を判別することができるとともに、表示板５の表面に設けられた環状からなる地色部４を施していない中央部箇所（中央部領域ＡＲ２）の表示板５の裏面にグラデーション表示層Ｇ１と、そのグラデーション表示層Ｇ１の背面側に背景色となる背景地色層４００を設けてなることによって、地色部４箇所の境目と表示板５の中央部箇所（中央部領域ＡＲ２）との間において表示板５の肉厚寸法がそのまま段差として見えるため、奥行き感が強調され、しかも背景となる表示板５の裏面に設けられた背景地色層４００の表面側に設けられたグラデーション表示層Ｇ１の濃淡によってさらに見栄えも良好となる指示計器を提供できる。
【００２９】
本実施形態における指示計器の照明時においては、指針発光用としての発光ダイオード７から照射される光線は、前述したように枠体９から一体に設けた円筒形の仕切壁９Ａの内部側にて導かれ、指針２に設けられた指針基部２１へと入光し、反射面などを介して指示部２０へと導かれて指示部２０が発光する。
【００３０】
また発光ダイオード８から照射される光線は、その発光ダイオード８からの直接光による照射光線と、枠体９と一体に形成されたライトケース９Ｂの内面（反射面９Ｃなど）にて反射導光された照射光線によって表示板５に設けられた指標部３が透過照明される。この際、指針２の指示部２０の指示状態を表示板５の外郭周縁領域ＡＲ１に設けられた指標部３のみが明るく透過照明されることによって良好に指示状態を判別することができる。
【００３１】
この際、表示板５の裏面側に施されたグラデーション表示層Ｇ１と背景地色層４００とが表示板５の板厚寸法分だけ透過性の表示層３Ａからなる指標部３および地色部４との間で段差となって見えるため奥行き感が強調されるものであり、表示板５の表面に施された遮光性の地色層４Ａと表示板５の背面に施された透過性の背景地色層４００との間において背後側の背景地色層４００が透過照明されることによって立体感をさらに強調することができ、これにより斬新な指示計器を提供することができる。
【００３２】
またグラデーション表示層Ｇ１は、透過性の表示色層（青色による透過印刷層）からなることによって、表示板５の背面に施された背景地色層４００とともにグラデーション表示層Ｇ１も透過照明されるため、明るくしかもグラデーション表示層Ｇ１の濃淡状態に合わせて透過照明され、奥行き感とともに明暗表示と相まって、斬新な見栄えを実現することができる。
【００３３】
またグラデーション表示層Ｇ１は、回転軸１Ａを基点として外側に向けて濃淡が徐々に淡くなるように形成してなることによって、指針２の回動支点である回転軸１Ａを基点として同心円状にして外側に行くに従い漸次明るさが明るくなるように背景地色層４００を透過照明することが可能となり、表示板５の表面側に施してある地色部４との境目を強調することもできるものであり、これにより奥行き感もさらに強調することができる。
【００３４】
図４は本発明の第２の実施形態を示すもので、前述した第１の実施形態と同一部分、均等部箇所については同一符号を付して説明する。
【００３５】
同図において、第１の実施形態と同様にして、表示板５は透明な合成樹脂からなる平板状の基板５０からなり、その表面（図中上側の面）に、目盛や周囲あるいは記号などの指標部３箇所に例えば白色の表示層３Ａを形成し、その指標部３箇所を除いて表示板５の表面側の外郭周縁箇所にドーナツ状（環状）からなる遮光性の黒色の地色層４Ａを施している。
【００３６】
また表示板５の表面には、指針２の指示部２０が指し示す外周縁領域側に設けられた透過性の表示層３Ａからなる指標部３と、指標部３の領域を除く表示板５の外郭周縁部分の表面に遮光性の地色層４Ａからなる地色部４が施されている。そして本実施形態においては、指標部３の領域と地色部４とによる環状からなる外郭周縁領域ＡＲ１を除く表示板５の裏面側に設けられた円形状からなる中央部領域ＡＲ２に、例えば黒色の遮光性のドット印刷による濃淡の表示色層からなるグラデーション表示層Ｇ２が施され、このグラデーション表示層Ｇ２の背後側に背景色となる例えば青色による透過性の背景地色層４００Ａが施されている。
【００３７】
本実施形態のグラデーション表示層Ｇ２は、回転軸１Ａを基点として外側に向けて濃淡が徐々に淡くなるように形成されている。この濃淡としてはドットの密度あるいはドットの大きさの変化などによって設定している。
【００３８】
上記構成からなる表示板５にあっては、前述した第１の実施形態とほぼ同様にして、指針２の指示状態を表示板５の外郭周縁領域ＡＲ１に設けられた指標部３にて良好に指示状態を判別することができるとともに、表示板５の表面に設けられた環状からなる地色部４を施していない中央部箇所（中央部領域ＡＲ２）の表示板５の裏面にグラデーション表示層Ｇ２と、そのグラデーション表示層Ｇ２の背面側に背景色となる背景地色層４００Ａを設けてなることによって、地色部４箇所の境目と表示板５の中央部箇所（中央部領域ＡＲ２）との間において表示板５の肉厚寸法がそのまま段差として見えるため、奥行き感が強調され、しかも背景となる表示板５の裏面に設けられた背景地色層４００Ａの表面側に設けられた遮光性の黒色からなるグラデーション表示層Ｇ２の濃淡によってさらに見栄えも良好となる指示計器を提供できる。
【００３９】
この場合、表示板５は表面側に施した黒色からなる遮光性の地色層４Ａと、表示板５の背面側に施した遮光性の黒色からなるグラデーション表示層Ｇ２とを同系色に合わせることによって表示板５全体を黒色系に統一して表示することができ、落ち着いた色合いにて表示板５全体を表示することができる。
【００４０】
また、光源である発光ダイオード８から照射による表示板５の照明時においては、発光ダイオード８からの照射光線によって遮光性の地色部４を背景にして指標部３の表示層３Ａが白色でくっきりと透過照明される。この際、指針２の指示部２０の指示状態を表示板５の外郭周縁領域ＡＲ１に設けられた指標部３にて良好に指示状態を判別することができるとともに、表示板５の表面に設けられた環状からなる地色部４を施していない中央部箇所（中央部領域ＡＲ２）の表示板５の裏面にグラデーション表示層Ｇ２と、そのグラデーション表示層Ｇ２の背面側に背景色となる背景地色層４００Ａを設けてなることによって、地色部４箇所の境目と表示板５の中央部箇所（中央部領域ＡＲ２）との間において表示板５の肉厚寸法がそのまま段差として見えるため、奥行き感が強調され、しかも背景となる表示板５の裏面に設けられた背景地色層４００Ａの表面側に設けられた遮光性の黒色からなるグラデーション表示層Ｇ２の濃淡によってさらに見栄えも良好となる。
【００４１】
また表示板５の背面に施された遮光性の黒色からなるグラデーション表示層Ｇ２が透過性の背景地色層４００Ａによって透過照明される際に、シルエットとして浮かび上がって見え、しかもグラデーション表示層Ｇ２の濃淡状態に合わせてシルエットとして浮かび上がって見えるため、奥行き感に加えて明暗によるボカシ効果も強調した透過照明を得ることが期待できるものであり、しかも指針２の回転軸１Ａを基点として外側に向けて濃淡が徐々に淡くなるようにグラデーション表示層Ｇ２形成してなることにより、同心円状にして外側に行くに従い漸次明るさが明るくなるように背景地色層４００Ａを透過照明することが可能となり、表示板５の表面側に施してある地色部４との境目を強調することもできるものであり、これにより奥行き感もさらに強調することができる。
【００４２】
なお本発明は、前記実施形態に限定されるものではなく本発明の要旨の範囲内において種々の変形実施が可能であり、例えば表示板５に設けた指標部３やグラデーション表示層Ｇ１，Ｇ２による図柄を介して照明される照明色を変更する場合、光源である発光ダイオード８の発光色を変更したりあるいは着色フィルタを介して透過照明することにより、照明色を適宜設定することも可能である。また指標部３としては、実施形態においては白色の透過性の表示層を設けていたが、透過性のスモーク印刷層からなる表示層を設けてもよいものであり、表示層の色合いも任意に設定すればよいものである。また奥行き感を出すために、色合いを変更したり、表示板５の板厚を変更したり、あるいはグラデーションによる図柄（実施形態ではドット印刷により形成）を変更することにより立体感を強調することが可能となるものである。この場合、グラデーションによる図柄として丸形状に限らず格子状の模様や亀甲模様などにて濃淡度の度合いが変化するように設定することによりデザイン性に優れ、加えて照明ムラのない透過照明を行うことが可能となる。また、指針２を発光照明する必要のない指示計器であれば、発光ダイオード７を設ける必要はなく、表示板５専用の発光ダイオード８のみ設ける構成としても良い。
【産業上の利用可能性】
【００４３】
また、前述した実施形態において詳述したように、自動車などの車両用の指示計器を例にして説明したが、車両用計器に限らず船舶用計器あるいは農業用機械や建設機械などの特殊車両の指示計器などにおいても適用することが可能である。
【符号の説明】
【００４４】
ＡＲ１    外郭周縁領域
ＡＲ２    中央部領域
Ｇ１，Ｇ２    グラデーション表示層
１    計器本体
１Ａ    回転軸
２    指針
３    指標部
３Ａ    表示層
４    地色部
４Ａ    地色層
５    表示板
６    回路基板
７，８    発光ダイオード（光源）
９    枠体
９Ａ    仕切壁
９Ｂ    ライトケース
９Ｃ    反射面
２０    指示部
２１    指針基部
２２    指針キャップ
５０    基板  
４００，４００Ａ    背景地色層
【図１】
2013190366.tif 000003
【図２】
2013190366.tif 000004
【図３】
2013190366.tif 000005
【図４】
2013190366.tif 000006